(57)【特許請求の範囲】
【請求項１】
第１の通信方法で通信する第１の通信部と第２の通信方法で通信する第２の通信部とを備える通信装置であって、
前記第２の通信部は、
前記第１の通信方法によるポーリング電文に対する応答の電文が記憶される記憶部と、
前記ポーリング電文を前記第１の通信部へ送信し、前記ポーリング電文に対する応答の電文を前記記憶部に記憶させ、外部から前記第２の通信方法によるポーリング電文を受信したなら、前記第２の通信方法によるポーリング電文に対する応答の電文を外部に送出し、外部から前記第１の通信方法によるポーリング電文を含む前記第２の通信方法による電文を受信したなら、前記記憶部から応答の電文を読み出し、当該応答の電文を含む前記第２の通信方法による電文を作成し、外部に送出する中継処理部と
を備え、
前記第１の通信部は、前記通信装置に対して着脱自在であり、
前記第２の通信部は、前記第１の通信部が前記通信装置に取り付けられていることを検出するセンサを備え、前記第１の通信部への前記第１の通信方法によるポーリング電文の送信を、前記センサにより前記第１の通信部が前記通信装置に取り付けられていることが検出されたら行う
ことを特徴とする記載の通信装置。
【請求項２】
第１の通信方法で通信する第１の通信部と第２の通信方法で通信する第２の通信部とを備える通信装置の動作方法であって、
前記第２の通信部は、
前記第１の通信方法によるポーリング電文に対する応答の電文が記憶される記憶部を備え、
前記動作方法は、
前記第２の通信部の中継処理部が、前記ポーリング電文を前記第１の通信部へ送信し、
前記第２の通信部の中継処理部が、前記ポーリング電文に対する応答の電文を前記記憶部に記憶させ、
前記第２の通信部の中継処理部が、外部から前記第２の通信方法によるポーリング電文を受信したなら、前記第２の通信方法によるポーリング電文に対する応答の電文を外部に送出し、
前記第２の通信部の中継処理部が、外部から前記第１の通信方法によるポーリング電文を含む前記第２の通信方法による電文を受信したなら前記記憶部から応答の電文を読み出し、当該応答の電文を含む前記第２の通信方法による電文を作成し、外部に送出するものであり、
前記第１の通信部は、前記通信装置に対して着脱自在であり、
前記第２の通信部は、前記第１の通信部が前記通信装置に取り付けられていることを検出するセンサを備え、前記第１の通信部への前記第１の通信方法によるポーリング電文の送信を、前記センサにより前記第１の通信部が前記通信装置に取り付けられていることが検出されたら行う
ことを特徴とする通信装置の動作方法。
【発明の詳細な説明】
【技術分野】
【０００１】
本発明は、通信装置およびその動作方法に関するものである。
【背景技術】
【０００２】
近年にあっては、非接触ＩＣカードを使った入退室システムや改札システムが増えている。
【０００３】
これらのシステムは、ポーリングコマンドを作成する上位装置（例えば入退管理サーバ）と、ポーリングコマンドを所定の通信方法によるポーリング電文へ変換し送出する中継装置（例えばＩＣカードＲＷ）と、任意の通信手段と通信する変換部および入退時に必要な識別情報を管理する識別情報管理部を有するモバイル端末（例えばＩＣカード）とを備える構成になっており、上位装置がポーリングコマンドを中継装置へ送り、中継装置はそれをトリガーにして任意の間隔でポーリング電文を繰り返し送出し、モバイル端末を検知している。
【先行技術文献】
【非特許文献】
【０００４】
【非特許文献１】ワイヤレスカードシステムの応用  技術資料  ＡＲＩＢ  ＴＲ−Ｔ１０  １．０版、Ｐ．１３、［ｏｎｌｉｎｅ］、社団法人  電波産業会、［平成２２年６月１４日検索］、インターネット＜ＵＲＬ：  ｈｔｔｐ：／／ｗｗｗ．ａｒｉｂ．ｏｒ．ｊｐ／ｅｎｇｌｉｓｈ／ｈｔｍｌ／ｏｖｅｒｖｉｅｗ／ｄｏｃ／３−ＴＲ−Ｔ１０ｖ１＿０．ｐｄｆ＞
【発明の概要】
【発明が解決しようとする課題】
【０００５】
ところで、既存の入退室システムにおいて、非接触ＩＣカードに使用される既存の通信方法（以下、通信方法Ｍという）だけでなく、ＰＡＮ（Ｐｅｒｓｏｎａｌ  Ａｒｅａ  Ｎｅｔｗｏｒｋ）や電界通信等の新たな通信方法（以下、通信方法Ｎという）も使用できるようにし、通信方法Ｍの通信方法によるポーリング電文は変更せず、システムの変更を最小限にして、通信方法Ｎを使用できるようにする場合、下記の実現要件に対応することが必要となる。
【０００６】
１）通信方法Ｍのポーリング電文および応答の電文は、中継装置とモバイル端末の間で送受信される必要があり、通信方法Ｎのポーリング電文および応答の電文も同様である。
【０００７】
２）通信方法Ｎを用いる通信部に対しては、通信方法Ｍを用いる通信部から通信方法Ｍのポーリング電文が送信される。かかるポーリング電文は、通信方法Ｎを用いる通信部にはデータにしか見えない。そのため、当該通信部は、通信方法Ｍのポーリング電文を含む電文を通信方法Ｎにより相手の中継装置やモバイル端末に送信し、返信される応答の電文から通信方法Ｍによるポーリング電文への応答の電文を取り出し、これを通信方法Ｍを用いる通信部に送信する必要がある。
【０００８】
１）、２）の実現要件を満たすためには、通信方法Ｍだけを用いるシステムと比べ、通信方法Ｍ、Ｎを用いるシステムでの追加処理として、「通信方法Ｎによるポーリング電文およびその応答の電文の送受信（通信方法Ｎによるポーリング）」と「通信方法Ｎのデータとして通信方法Ｍのポーリング電文とその応答の電文を送受信する処理（通信方法Ｎを介した通信方法Ｍによるポーリング）」が必要となる。
【０００９】
しかし、１）、２）の実現要件に対応して新たな処理が追加されることにより新たな処理時間を要し、通信方法Ｍでは制限時間内に終わっていたポーリングが、通信方法Ｍ、Ｎを使用することでタイムアウトが発生し、制限時間以内にポーリングを終わらせることができない場合がある。
【００１０】
本発明は、上記の課題に鑑みてなされたものであり、その目的とするところは、２つの通信方法を使用する通信装置におけるポーリングを早期に終了させることのできる技術を提供することにある。
【課題を解決するための手段】
【００１１】
上記の課題を解決するために、第１の本発明は、第１の通信方法で通信する第１の通信部と第２の通信方法で通信する第２の通信部とを備える通信装置であって、前記第２の通信部は、前記第１の通信方法によるポーリング電文に対する応答の電文が記憶される記憶部と、前記ポーリング電文を前記第１の通信部へ送信し、前記ポーリング電文に対する応答の電文を前記記憶部に記憶させ、外部から前記第２の通信方法によるポーリング電文を受信したなら、前記第２の通信方法によるポーリング電文に対する応答の電文を外部に送出し、外部から前記第１の通信方法によるポーリング電文を含む前記第２の通信方法による電文を受信したなら、前記記憶部から応答の電文を読み出し、当該応答の電文を含む前記第２の通信方法による電文を作成し、外部に送出する中継処理部とを備え、前記第１の通信部は、前記通信装置に対して着脱自在であり、前記第２の通信部は、前記第１の通信部が前記通信装置に取り付けられていることを検出するセンサを備え、前記第１の通信部への前記第１の通信方法によるポーリング電文の送信を、前記センサにより前記第１の通信部が前記通信装置に取り付けられていることが検出されたら行うことを特徴とする通信装置をもって解決手段とする。
【００１４】
第２の本発明は、第１の通信方法で通信する第１の通信部と第２の通信方法で通信する第２の通信部とを備える通信装置の動作方法であって、前記第２の通信部は、前記第１の通信方法によるポーリング電文に対する応答の電文が記憶される記憶部を備え、前記動作方法は、前記第２の通信部の中継処理部が、前記ポーリング電文を前記第１の通信部へ送信し、前記第２の通信部の中継処理部が、前記ポーリング電文に対する応答の電文を前記記憶部に記憶させ、前記第２の通信部の中継処理部が、外部から前記第２の通信方法によるポーリング電文を受信したなら、前記第２の通信方法によるポーリング電文に対する応答の電文を外部に送出し、前記第２の通信部の中継処理部が、外部から前記第１の通信方法によるポーリング電文を含む前記第２の通信方法による電文を受信したなら、前記記憶部から応答の電文を読み出し、当該応答の電文を含む前記第２の通信方法による電文を作成し、外部に送出するものであり、前記第１の通信部は、前記通信装置に対して着脱自在であり、前記第２の通信部は、前記第１の通信部が前記通信装置に取り付けられていることを検出するセンサを備え、前記第１の通信部への前記第１の通信方法によるポーリング電文の送信を、前記センサにより前記第１の通信部が前記通信装置に取り付けられていることが検出されたら行うことを特徴とする通信装置の動作方法をもって解決手段とする。
【発明の効果】
【００１７】
本発明によれば、２つの通信方法を使用する通信装置におけるポーリングを早期に終了させることのできる技術を提供することができる。
【図面の簡単な説明】
【００１８】
【図１】第１の実施の形態に係る通信システムの構成図である。
【図２】第１の実施の形態で使用される各電文の構成図である。
【図３】第１の実施の形態における中継部１３２と中継部２３２の構成図である。
【図４】第１の実施の形態における通信部１３における処理の流れを示すフローチャートである。
【図５】第１の実施の形態における通信部２３における処理の流れを示すフローチャートである。
【図６】第１の実施の形態における通信システムの動作の一例を示すシーケンス図である。
【図７】第２の実施の形態における通信システムの動作の一例を示すシーケンス図である。
【図８】第３の実施の形態における中継部１３２の構成図である。
【図９】第３の実施の形態における通信システムの動作の一例を示すシーケンス図である。
【図１０】第４の実施の形態における通信装置２の構成を示す図である。
【図１１】第４の実施の形態の通信部２３における処理の流れを示すフローチャートである。
【図１２】第４の実施の形態における通信システムの動作の一例を示すシーケンス図である。
【発明を実施するための形態】
【００１９】
以下、本発明の実施の形態について図面を参照して説明する。
【００２０】
［第１の実施の形態］
図１は、第１〜３の実施の形態に係る通信システムの構成図である。
【００２１】
通信装置１は、通信装置２内の情報を用いて情報処理を行う情報処理部１１と、情報処理部１１と有線で接続された通信部１２と、通信方法Ｍ（例えば、非接触カードに使用される磁界通信）によって通信部１２と通信し、通信装置２とは通信方法Ｎ（例えば、電界通信）によって通信する通信部１３を備える。
【００２２】
通信部１３は、通信装置１に新たに設けられたものであり、通信部１３が設けられる前の通信装置１は通信装置２と、つまり、通信部１２は、通信方法Ｍによって、通信装置２と通信していた。
【００２３】
しかし、通信部１３が設けられてからは、通信装置１は通信装置２と、つまり、通信部１３は、新たな通信方法、つまり、通信方法Ｍとは異なる通信方法Ｎで、通信装置２と通信する。
【００２４】
通信部１３は、通信方法Ｍによって通信部１２と通信する中継部１３１と、中継部１３１と有線で接続され、通信方法Ｎで通信装置２と通信する中継部１３２とを備える。
【００２５】
通信装置２は、通信装置１にとって必要な情報を有する情報処理部２１と、情報処理部２１と有線で接続された通信部２２と、通信方法Ｍによって通信部２２と通信し、通信装置１とは通信方法Ｎによって通信する通信部２３を備える。
【００２６】
通信部２３は、通信装置２に新たに設けられたものであり、通信部２３が設けられる前の通信装置２は通信装置１と、つまり、通信部２２は、通信方法Ｍによって、通信装置１と通信していた。
【００２７】
しかし、通信部２３が設けられてからは、通信装置２は通信装置１と、つまり、通信部２３は、通信方法Ｎで、通信装置２と通信する。
【００２８】
通信部２３は、通信方法Ｍによって通信部２２と通信する中継部２３１と、中継部２３１と有線で接続され、通信方法Ｎで通信装置１（つまり通信装置１の中継部１３２）と通信する中継部２３２とを備える。
【００２９】
図２は、第１〜４の実施の形態で使用される各電文の構成図である。
【００３０】
図２（ａ）に示す電文Ｄ１は、通信方法Ｍのポーリング電文であり、通信方法Ｍのヘッダおよびデータからなる。データには、情報処理部１１から送信されるポーリングコマンドが含まれる。
【００３１】
図２（ｂ）に示す電文Ｄ２は、通信方法Ｎのポーリング電文であり、通信方法Ｎのヘッダおよびデータからなる。データには、電文Ｄ２がポーリング電文である旨の情報が含まれる。
【００３２】
図２（ｃ）に示す電文Ｄ３は、電文Ｄ１（通信方法Ｍのポーリング電文）への応答の電文であり、通信方法Ｍのヘッダおよびデータからなる。データには、情報処理部２１から送信される応答コマンドが含まれる。
【００３３】
図２（ｄ）に示す電文Ｄ４は、電文Ｄ２（通信方法Ｎのポーリング電文）への応答の電文であり、通信方法Ｎのヘッダおよびデータからなる。データには、電文Ｄ４がポーリング電文の応答である旨の情報が含まれる。
【００３４】
図２（ｅ）に示す電文Ｄ５は、通信方法Ｎの電文であり、通信方法Ｎのヘッダおよびデータからなる。データには、電文Ｄ１が含まれる。
【００３５】
図２（ｆ）に示す電文Ｄ６は、通信方法Ｎの電文であり、通信方法Ｎのヘッダおよびデータからなる。データには、電文Ｄ３が含まれる。
【００３６】
図３は、第１の実施の形態における中継部１３２と中継部２３２の構成図である。
【００３７】
中継部１３２は、電文Ｄ２と電文Ｄ５を外部に送出する中継処理部１３２１と、電文Ｄ１が記憶される記憶部１３２２とを備える。
【００３８】
中継部２３２は、電文Ｄ４と電文Ｄ６を外部に送出する中継処理部２３２１と、電文Ｄ３が記憶される記憶部２３２２とを備える。
【００３９】
図４は、第１の実施の形態の通信部１３における処理の流れを示すフローチャートである。
【００４０】
通信部１３の中継部１３１は、通信部１２から電文Ｄ１を受信した（Ｓ１：ＹＥＳ）なら、電文Ｄ１を中継部１３２へ転送する（Ｓ３）。
【００４１】
中継部１３２の中継処理部１３２１は、電文Ｄ１を記憶部１３２２に記憶させる（Ｓ５）。
【００４２】
次に、中継処理部１３２１は、電文Ｄ２を作成し、外部に送出する（Ｓ７）。
【００４３】
次に、中継処理部１３２１は、外部から電文Ｄ４を受信したか否かを判定する（Ｓ９）。中継処理部１３２１は、電文Ｄ４を受信していないなら（Ｓ９：ＮＯ）、タイムアウト（ステップＳ７の時刻から所定の時間が経過した）か否かを判定し（Ｓ１１）、タイムアウトでないなら、ステップＳ９へ戻り、タイムアウトなら、ステップＳ７へ戻る。
【００４４】
中継処理部１３２１は、外部から電文Ｄ４を受信したなら（Ｓ９：ＹＥＳ）、記憶部１３２２から電文Ｄ１を読み出し、電文Ｄ１を含む電文Ｄ５を作成し、外部に送出する（Ｓ１３）。
【００４５】
次に、中継処理部１３２１は、外部から電文Ｄ６を受信したか否かを判定する（Ｓ１５）。中継処理部１３２１は、電文Ｄ６を受信していないなら（Ｓ１５：ＮＯ）、タイムアウト（ステップＳ１３の時刻から所定の時間が経過した）か否かを判定し（Ｓ１７）、タイムアウトでないなら、ステップＳ１５へ戻り、タイムアウトなら、処理を終える。
【００４６】
中継処理部１３２１は、外部から電文Ｄ６を受信したなら（Ｓ１５：ＹＥＳ）、電文Ｄ６から電文Ｄ３を取り出し、中継部１３１を介して、通信部１２へ送信し（Ｓ１９）、処理を終える。
【００４７】
図５は、第１の実施の形態の通信部２３における処理の流れを示すフローチャートである。
【００４８】
通信部２３の中継部２３２の中継処理部２３２１は、通信装置２が起動されると、電文Ｄ１を作成し、中継部２３１を介して、通信部２２へ送信する（Ｓ１０１）。
【００４９】
次に、中継部２３１は、通信部２２から電文Ｄ３を受信したか否かを判定する（Ｓ１０３）。
【００５０】
中継部２３１は、電文Ｄ３を受信していないと判定したら（Ｓ１０３：ＮＯ）、タイムアウト（ステップＳ１０１の時刻から所定の時間が経過した）か否かを判定し（Ｓ１０７）、タイムアウトでないなら、ステップＳ１０３へ戻り、タイムアウトなら、ステップＳ１０７へ進む。
【００５１】
ステップＳ１０７では、中継処理部２３２１は、電文Ｄ１の送信回数が予め設定された規定回数より多いか否かを判定し、超えていないなら、ステップＳ１０１へ戻る。
【００５２】
中継処理部２３２１は、規定回数より多いなら、返信がないことを示す電文を通信装置２へ通知し（Ｓ１０９）、処理が終了する。
【００５３】
中継部２３１は、電文Ｄ３を受信したなら（Ｓ１０３：ＹＥＳ）、電文Ｄ３を中継部２３２へ転送する（Ｓ１１１）。
【００５４】
中継部２３２の中継処理部２３２１は、電文Ｄ３を記憶部２３２２に記憶させる（Ｓ１１３）。
【００５５】
次に、中継処理部２３２１は、外部から電文Ｄ２を受信したなら（Ｓ１１５：ＹＥＳ）、電文Ｄ４を作成し、外部に送出する（Ｓ１１７）。
【００５６】
次に、中継処理部２３２１は、外部から電文Ｄ５を受信したなら（Ｓ１１９：ＹＥＳ）、記憶部２３２２から電文Ｄ３を読み出し、電文Ｄ３を含む電文Ｄ６を作成し、外部に送出し（Ｓ１２１）、処理が終了する。
【００５７】
図６は、第１の実施の形態における通信システムの動作の一例を示すシーケンス図である。
【００５８】
図６は、通信装置１、２が互いに近づき、通信が開始される様子を示すものである。
【００５９】
通信部２３の中継部２３２の中継処理部２３２１は、通信装置２が起動されると、電文Ｄ１を作成し、中継部２３１を介して、通信部２２へ送信する（Ｔ１、Ｔ３）。
【００６０】
通信部２２は、電文Ｄ１からポーリングコマンドを取り出し、情報処理部２１に送信する（Ｔ５）。
【００６１】
情報処理部２１は、ポーリングコマンドを受信し、ポーリングコマンドに対する応答コマンド（例えば、肯定応答のコマンド）を作成し、通信部２２に送信する（Ｔ７）。
【００６２】
通信部２２は、ポーリングコマンドを含む電文Ｄ３を作成し、中継部２３１を介して、中継部２３２に送信する（Ｔ９、Ｔ１１）。中継部２３２の中継処理部２３２１は、電文Ｄ３を記憶部２３２２に記憶させる。
【００６３】
一方、通信装置１では、通信装置１が起動されると、情報処理部１１が、ポーリングコマンドを通信部１２に送信する（Ｔ２１）。
【００６４】
通信部１２は、ポーリングコマンドを含む電文Ｄ１を作成し、中継部１３１を介して、中継部１３２に送信する（Ｔ２３、Ｔ２５）。
【００６５】
中継部１３２の中継処理部１３２１は、電文Ｄ１を記憶部１３２２に記憶させる。
【００６６】
また、中継処理部１３２１は、電文Ｄ２を作成し、通信方法Ｎにより外部に送出する（Ｔ２７）。
【００６７】
通信装置１、２の間の距離が長いと、電文Ｄ２は通信装置２に届かず、通信部１３は、タイムアウトと電文Ｄ２の送信を繰り返す。例えば、通信部１２も同様にタイムアウトとなり、電文Ｄ１が再び送信される。以降も同様に、通信装置１、２の間の距離が長いと、通信部１３は、タイムアウトと電文Ｄ２の送信を繰り返す。
【００６８】
情報処理部１１については、ここでは、タイムアウトとなるような設定がなされていないこととする。よって、情報処理部１１は、ポーリングコマンドに対する応答を待機する。
【００６９】
通信装置１、２が互いに近づき、通信部２３の中継部２３２は、電文Ｄ２を受信したら、電文Ｄ４を作成し、通信方法Ｎにより外部に送出する（Ｔ３１）。
【００７０】
通信部１３の中継部１３２の中継処理部１３２１は、電文Ｄ４を受信したなら、記憶部１３２２から電文Ｄ１を読み出し、電文Ｄ１を含む電文Ｄ５を作成し、外部に送出する（Ｔ３３）。
【００７１】
通信部２３の中継部２３２の中継処理部２３２１は、電文Ｄ５を受信したなら、記憶部２３２２から電文Ｄ３を読み出し、電文Ｄ３を含む電文Ｄ６を作成し、外部に送出する（Ｔ３５）。
【００７２】
通信部１３の中継部１３２の中継処理部１３２１は、電文Ｄ６を受信したなら、電文Ｄ３を取り出し、中継部１３１を介して、通信部１２に送信する（Ｔ３７、Ｔ３９）。
【００７３】
通信部１２は、電文Ｄ３から応答コマンドを取り出し、情報処理部１１に送信する（Ｔ４１）。
【００７４】
こうして、第１の実施の形態では、情報処理部１１、２１間のポーリングが終了し、その期間においては、通信部１２、２２間のポーリング、および、通信部１３、２３間のポーリングも終了する。
【００７５】
なお、情報処理部１１は、応答コマンドが肯定応答を示すものなら、同様のシーケンスで、通信部１２、通信部１３、通信部２３、通信部２２を介して、情報処理部２１に対し通信を行い、通信が終了したなら、通信部１２にポーリングコマンドを送信し、応答コマンドが肯定応答を示すまで、これを繰り返す。
【００７６】
情報処理部１１は、応答コマンドが否定応答を示すものであった場合でも、通信部１２にポーリングコマンドを送信し、応答コマンドが肯定応答を示すまで、これを繰り返す。
【００７７】
したがって、第１の実施の形態によれば、通信装置２において、中継処理部２３２１は、通信方法Ｍによるポーリング電文Ｄ１を通信部２２へ送信し（Ｔ１、Ｔ３）、ポーリング電文Ｄ１に対する応答の電文Ｄ３を記憶部２３２２に記憶させ（Ｔ９、Ｔ１１）、外部から通信方法Ｎによるポーリング電文Ｄ２を受信したなら（Ｔ２７）、通信方法Ｎによるポーリング電文に対する応答の電文Ｄ４を外部に送出し（Ｔ３１）、外部から通信方法Ｍによるポーリング電文Ｄ１を含む通信方法Ｎによる電文Ｄ５を受信したなら（Ｔ３３）、記憶部２３２２から応答の電文Ｄ３を読み出し、電文Ｄ３を含む通信方法Ｎによる電文Ｄ６を作成し、外部に送出する（Ｔ３５）。
【００７８】
また、第１の実施の形態によれば、通信装置１において、中継処理部１３２１は、通信部１２から通信方法Ｍによるポーリング電文Ｄ１を受信したなら（Ｔ２３、Ｔ２５）、当該ポーリング電文Ｄ１を記憶部１３２２に記憶させ、通信方法Ｎによるポーリング電文Ｄ２を外部に送出し（Ｔ２７）、外部から通信方法Ｎによるポーリング電文に対する応答の電文Ｄ４を受信したなら（Ｔ３１）、記憶部１３２２からポーリング電文Ｄ１を読み出し、当該ポーリング電文Ｄ１を含む通信方法Ｎによる電文Ｄ５を作成し、外部に送出し（Ｔ３３）、外部から通信方法Ｍによるポーリング電文Ｄ１に対する応答の電文Ｄ３を含む通信方法Ｎによる電文Ｄ６を受信したなら（Ｔ３５）、当該電文Ｄ６から当該応答の電文Ｄ３を取り出し、通信部１２へ送信する（Ｔ３７、Ｔ３９）ので、つまり、通信装置２における通信方法Ｍのポーリングを予め行っておくので、その結果、通信部１２、２２間のポーリング、および、通信部１３、２３間のポーリングを早期に終了させることができる。
【００７９】
［第２の実施の形態］
次に、本発明の第２の実施の形態について説明する。第２の実施の形態では、第１の実施の形態に同一または類似の装置および装置構成を用い、同一または類似のものについては第１の実施の形態で使用した符号を使用して重複説明を略し、第１の実施の形態とは異なる事項を中心に説明を行う。
【００８０】
第２の実施の形態では、複数の通信装置１が使用可能であり、各通信装置１は固有の装置識別子を記憶している。
【００８１】
図２（ａ）に示す電文Ｄ１のデータに含まれるポーリングコマンドには装置識別子が含まれる。
【００８２】
図７は、第２の実施の形態における通信システムの動作の一例を示すシーケンス図である。
【００８３】
第２の実施の形態では、通信部２３の中継部２３２の中継処理部２３２１は、電文Ｄ５を受信したなら（Ｔ３３）、電文Ｄ６を作成し送出する（Ｔ３５）だけでなく、電文Ｄ５から電文Ｄ１を取り出し、中継部２３１を介して、通信部２２へ送信する（Ｔ５１、Ｔ５３）。
【００８４】
通信部２２は、電文Ｄ１からポーリングコマンドを取り出し、情報処理部２１に送信する（Ｔ５５）。
【００８５】
情報処理部２１は、ポーリングコマンドを受信し、ポーリングコマンドに対する肯定応答の応答コマンドを作成し、通信部２２に送信する（Ｔ５７）。
【００８６】
通信部２２は、ポーリングコマンドを含む電文Ｄ３を作成し、中継部２３１を介して、中継部２３２に送信する（Ｔ５９、Ｔ６１）。中継部２３２の中継処理部２３２１は、電文Ｄ３を例えば廃棄する。
【００８７】
情報処理部２１は、ポーリングコマンドから装置識別子を取り出し、装置識別子に応じた処理の準備を行う。
【００８８】
例えば、情報処理部２１は、通信装置２を組み込んだ携帯端末を所持したユーザが、当該装置識別子に対応する通信装置１を組み込んだ入退室ゲートを通るときは、そのサービスを提供している会社用の料金精算を行えるように準備をすることができる。
【００８９】
したがって、第２の実施の形態によれば、通信方法Ｎによる電文Ｄ５に含まれる通信方法Ｍによるポーリング電文Ｄ１は、通信装置１に固有の装置識別子を含み、中継処理部２３２１は、電文Ｄ５からポーリング電文Ｄ１を取り出し、通信部２２へ送信する（Ｔ５１、Ｔ５３）ので、通信部２２側で装置識別子を取り出し、使用することができる。
【００９０】
［第３の実施の形態］
次に、本発明の第３の実施の形態について説明する。第３の実施の形態では、第１の実施の形態に同一または類似の装置および装置構成を用い、同一または類似のものについては第１の実施の形態で使用した符号を使用して重複説明を略し、第１の実施の形態とは異なる事項を中心に説明を行う。
【００９１】
図８は、第３の実施の形態における中継部１３２の構成図である。
【００９２】
中継部１３２は、中継処理部１３２１を備え、記憶部１３２２は不要である。
【００９３】
図９は、第３の実施の形態における通信システムの動作の一例を示すシーケンス図である。
【００９４】
第３の実施の形態では、中継部１３２の中継処理部１３２１は、電文Ｄ１を受信したら（Ｔ２５）、これを記憶せず、電文Ｄ２を作成し、通信方法Ｎにより外部に送出する（Ｔ２７）。
【００９５】
そして、中継処理部１３２１は、電文Ｄ４を受信したなら（Ｔ３１）、電文Ｄ１が送信されるのを待機し、電文Ｄ１が送信されたら（Ｔ２３、Ｔ２５）、電文Ｄ１を含む電文Ｄ５を作成し、外部に送出する（Ｔ３３）。
【００９６】
したがって、第３の実施の形態によれば、通信装置１において、中継処理部１３２１は、通信方法Ｎによるポーリング電文Ｄ２を外部に送出し（Ｔ２７）、外部から通信方法Ｎによるポーリング電文に対する応答の電文Ｄ４を受信した後（Ｔ３１）、通信部１２から通信方法Ｍによるポーリング電文Ｄ１を受信したなら（Ｔ２３、Ｔ２５）、当該ポーリング電文Ｄ１を含む通信方法Ｎによる電文Ｄ５を作成し、外部に送出し（Ｔ３３）、外部から通信方法Ｍによるポーリング電文Ｄ１に対する応答の電文Ｄ３を含む通信方法Ｎによる電文Ｄ６を受信したなら（Ｔ３５）、当該電文Ｄ６から当該応答の電文Ｄ３を取り出し、通信部１２へ送信する（Ｔ３７、Ｔ３９）ので、記憶部１３２２を不要にすることができる。
【００９７】
なお、第３の実施の形態において第２の実施の形態の構成を採用してもよい。
【００９８】
［第４の実施の形態］
次に、本発明の第４の実施の形態について説明する。第４の実施の形態では、第１の実施の形態に同一または類似の装置および装置構成を用い、同一または類似のものについては第１の実施の形態で使用した符号を使用して重複説明を略し、第１の実施の形態とは異なる事項を中心に説明を行う。
【００９９】
図１０は、第４の実施の形態における通信装置２の構成を示す図である。
【０１００】
通信装置２は、第１〜第３の実施の形態の通信部２２の機能を備えた中継部（便宜的に中継部２２という）と情報処理部２１を備えた通信部２２Ａを着脱自在に構成され、通信部２２Ａが取り付けられていることを検出するセンサ２４と通信部２３を備える。センサ２４は、通信部２２Ａが取り付けられていないときはオフであり、通信部２２Ａが取り付けられたならオンになる。
【０１０１】
図１１は、第４の実施の形態の通信部２３における処理の流れを示すフローチャートである。
【０１０２】
通信部２３の中継部２３２の中継処理部２３２１は、通信装置２が起動されると、通信部２２Ａが取り付けられ、これにより、センサ２４がオンとなり、センサ２４から信号を受信したなら（Ｓ１５１：ＹＥＳ）、電文Ｄ１を作成し、中継部２３１を介して、通信部２２へ送信する（Ｓ１０１）。以下の動作は第１の実施の形態と同様である。
【０１０３】
図１２は、第４の実施の形態における通信システムの動作の一例を示すシーケンス図である。
【０１０４】
通信部２３の中継部２３２の中継処理部２３２１は、通信装置２が起動されると、電文Ｄ１を作成するのでなく、センサ２４からの信号を待機する。
【０１０５】
センサ２４は、通信部２２Ａが取り付けられ、これにより、センサ２４がオンになったなら（Ｔ１０１）、中継処理部２３２１に信号を送信する（Ｔ１０３）。
【０１０６】
中継処理部２３２１は、センサ２４から信号を受信したなら、電文Ｄ１を作成し、中継部２３１を介して、中継部２２へ送信する（Ｔ１、Ｔ３）。
【０１０７】
したがって、第４の実施の形態によれば、通信装置２において、通信部２３は、通信部２２Ａが通信装置２に取り付けられていことを検出するセンサ２４を備え、通信部２２Ａへの通信方法Ｍによるポーリング電文Ｄ１の送信（Ｔ１、Ｔ３）を、センサ２４により通信部２２Ａが取り付けられていることが検出されたら行うので、通信部２２Ａを着脱自在にすることができる。
【０１０８】
なお、第４の実施の形態において第２の実施の形態や第３の実施の形態の構成を採用してもよい。
【０１０９】
また、各実施の形態において、情報処理部１１は通信装置１にでなく、別な通信装置に設けてもよい。
【０１１０】
また、通信装置１は、通信部１２の機能を備えた中継部と情報処理部２１を備えた通信部並びに通信部２３を備える構成としてもよい。
【０１１１】
なお、各実施の形態に係る通信装置１や通信装置２の動作方法を装置に実行させるためのコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【０１１２】
１、２…通信装置
１１、２１…情報処理部
１２、１３、２２、２２Ａ、２３…通信部
２４…センサ
１３１、１３２、２３１、２３２、２２…中継部
１３２１、２３２１…中継処理部
１３２２、２３２２…記憶部
【図１】
0005466184.tif 000002
【図２】
0005466184.tif 000003
【図３】
0005466184.tif 000004
【図４】
0005466184.tif 000005
【図５】
0005466184.tif 000006
【図６】
0005466184.tif 000007
【図７】
0005466184.tif 000008
【図８】
0005466184.tif 000009
【図９】
0005466184.tif 000010
【図１０】
0005466184.tif 000011
【図１１】
0005466184.tif 000012
【図１２】
0005466184.tif 000013